(57)【要約】【課題】両面印刷時において適切に用紙の反転を行うことができる画像形成装置を提供する。【解決手段】画像形成装置は、給紙カセット３１と、両面搬送ユニット４１とを備える。給紙カセット３１は、その上に用紙を載置する底板３２と、底板３２の左右の両端部から上方側に延びる一対の給紙カセット側板部３３ａとを含む。両面搬送ユニット４１は、給紙カセット３１の上方側の空間の一部を覆うようにして配置されており、用紙を反転させるための板状のガイド部材４２を含む。一対の給紙カセット側板部３３ａは、ガイド部材４２と当接してガイド部材４２の下方への移動を規制する当接ガイド面３８を有する。一対の給紙カセット側板部３３ａの上方側の端部には、当接ガイド面３８に隣接して、給紙カセット３１の挿入方向の下流側に向かって延びる突起部３７が設けられている。ガイド部材４２には、突起部３７を受け入れる受け入れ凹部４７が設けられている。【選択図】図９
2017068024.tif 000002
【特許請求の範囲】
【請求項１】
装置本体部に設けられ、画像データを基に用紙に画像を形成する画像形成部と、
前記装置本体部に対して引き出しおよび挿入可能であり、前記用紙を載置する底板と、前記底板の前記引き出しおよび挿入方向に直交する左右の両端部から上方側に延びる一対の側板部とを含み、前記画像形成部に供給する前記用紙をセットさせる給紙カセットと、
前記装置本体部に取り付けられ、前記画像形成部に供給される前記用紙を反転させて前記画像形成部に再供給する両面搬送ユニットとを備え、
前記両面搬送ユニットは、前記給紙カセットの上方側の空間の一部を覆うようにして配置されており、前記用紙を反転させるための板状のガイド部材を含み、
一対の前記側壁部は、前記ガイド部材と当接して前記ガイド部材の下方への移動を規制する当接ガイド面を有し、
一対の前記側板部のうちの少なくともいずれか一方の前記側板部の上方側の端部には、前記当接ガイド面に隣接して、前記給紙カセットの挿入方向の下流側に向かって延びる突起部が設けられており、
前記ガイド部材には、前記突起部を受け入れる受け入れ凹部が設けられている、画像形成装置。
【請求項２】
前記受け入れ凹部は、板状の部材を貫通させた貫通孔を含む、請求項１に記載の画像形成装置。
【請求項３】
前記突起部は、円柱状であり、
前記受け入れ凹部は、上下方向に長い長孔状である、請求項２に記載の画像形成装置。
【請求項４】
前記受け入れ凹部は、前記突起部が挿入される側の開口が広くなるようテーパー状に設けられている、請求項１〜３のいずれか１項に記載の画像形成装置。
【請求項５】
前記突起部は、一対の前記側板部の双方に設けられている、請求項１〜４のいずれか１項に記載の画像形成装置。
【請求項６】
前記ガイド部材は、先端が前記当接ガイド面に当接する突出部を有し、
前記受け入れ凹部は、前記突出部に形成されている、請求項１〜５のいずれか１項に記載の画像形成装置。
【発明の詳細な説明】
【技術分野】
【０００１】
この発明は、画像形成装置に関するものである。
【背景技術】
【０００２】
複合機等に代表される画像形成装置においては、接続されたコンピューターから送信させた画像データを基に感光体上に静電潜像を形成し、用紙に印刷するプリンター機能を有するものがある。昨今においては、装置内において用紙を反転させて、用紙の両面に印刷が可能な画像形成装置もある。
【０００３】
ここで、用紙の両面の印刷に関する技術が、特開平６−３４８０８８号公報（特許文献１）、特開２００１−３１２８５号公報（特許文献２）、特開２００５−１７３０７１号公報（特許文献３）、および特開２００７−２６１８２０号公報（特許文献４）に開示されている。
【先行技術文献】
【特許文献】
【０００４】
【特許文献１】特開平６−３４８０８８号公報
【特許文献２】特開２００１−３１２８５号公報
【特許文献３】特開２００５−１７３０７１号公報
【特許文献４】特開２００７−２６１８２０号公報
【発明の概要】
【発明が解決しようとする課題】
【０００５】
両面印刷が可能な画像形成装置では、装置内部において用紙を反転させて再度画像形成部へ用紙を搬送する両面搬送ユニットが設けられているものがある。両面搬送ユニットは、画像形成装置の装置本体部へ抜き差しが可能な給紙カセットの上部側に設けられている。
【０００６】
両面搬送ユニットは、給紙カセット内や両面搬送ユニット内で紙詰まりが生じた際に、詰まった用紙の取り除きが容易となるよう、給紙カセットに対して固定されておらず、給紙カセットの上部側に載置されるようにして取り付けられているものがある。この場合、給紙カセットに設けられた側板部の上に両面搬送ユニットに設けられた側板部を接触させて配置される。
【０００７】
ここで、側板部同士の左右方向の幅が狭いため、画像形成装置の組み立て時や梱包時、移動時において、給紙カセットに対して両面搬送ユニットの相対的な位置がずれてしまう場合がある。給紙カセットに対するガイド部材の位置がずれたり、傾いたりすると、用紙の反転を適切に行うことができない。しかし、給紙カセットとガイド部材とを固定した構成を採用したり、着脱が困難な構成を採用すると、用紙の紙詰まりの際にユーザーの負担が増大することとなる。このような状況に対し、上記した特許文献１〜４に開示の技術では、対応することが困難である。
【０００８】
この発明の目的は、両面印刷時において適切に用紙の反転を行うことができる画像形成装置を提供することである。
【課題を解決するための手段】
【０００９】
この発明の一の局面においては、画像形成装置は、装置本体部に設けられる画像形成部と、給紙カセットと、両面搬送ユニットとを備える。画像形成部は、画像データを基に用紙に画像を形成する。給紙カセットは、その上に用紙を載置する底板と、底板の左右の両端部から上方側に延びる一対の側板部とを含む。給紙カセットは、装置本体部に対して引き出しおよび挿入可能であり、画像形成部に供給する用紙をセットさせる。両面搬送ユニットは、装置本体部に取り付けられ、画像形成部に供給される用紙を反転させて画像形成部に再供給する。両面搬送ユニットは、給紙カセットの上方側の空間の一部を覆うようにして配置されており、用紙を反転させるための板状のガイド部材を含む。一対の側板部は、ガイド部材と当接してガイド部材の下方への移動を規制する当接ガイド面を有する。一対の側板部のうちの少なくともいずれか一方の側板部の上方側の端部には、当接ガイド面に隣接して、給紙カセットの挿入方向の下流側に向かって延びる突起部が設けられている。ガイド部材には、突起部を受け入れる受け入れ凹部が設けられている。
【発明の効果】
【００１０】
このような画像形成装置によると、給紙カセットに設けられた突起部をガイド部材に設けられた受け入れ凹部に挿入して、給紙カセットに対するガイド部材の左右方向の位置決めを適切に行うことができる。すなわち、給紙カセットの当接ガイド面に対するガイド部材の突出部の幅方向の位置ずれを防止することができる。そうすると、両面印刷時において、ガイド部材を利用して用紙を反転させる際に、反転させる用紙の左右方向の位置ずれやそれに伴う用紙の傾きを防止することができる。また、受け入れ凹部に突起部を挿入する構成であるため、その構成を容易にして、紙詰まりが生じた際のユーザーの用紙の取り除きの際の負担を軽減することができる。したがって、このような画像形成装置は、適切に用紙の反転を行うことができる。
【図面の簡単な説明】
【００１１】
【図１】この発明の一実施形態に係る画像形成装置を複合機に適用した場合の複合機の外観を示す概略図である。
【図２】図１に示す複合機の構成を示すブロック図である。
【図３】図１に示す複合機の概略断面図である。
【図４】装置本体部の一部を示す斜視図である。
【図５】図４に示す装置本体部の一部を後ろ側から見た図である。
【図６】給紙カセットおよび両面搬送ユニットを示す斜視図である。
【図７】図６に示す給紙カセットおよび両面搬送ユニットを、図６中の矢印ＶＩＩで示す方向から見た図である。
【図８】給紙カセットおよび両面搬送ユニットを、図７中のＶＩＩＩ−ＶＩＩＩの位置で切断した場合の断面図である。
【図９】図６中のＩＸで示す領域の拡大図である。
【発明を実施するための形態】
【００１２】
以下、この発明の実施の形態を説明する。図１は、この発明の一実施形態に係る画像形成装置を複合機に適用した場合の複合機の外観を示す概略図である。図２は、図１に示す複合機の構成を示すブロック図である。図３は、図１に示す複合機の概略断面図である。図３においては、理解の容易の観点から、部材のハッチングを省略している。
【００１３】
図１〜図３を参照して、複合機１１は、制御部１２と、操作部１３と、画像形成部１５と、用紙セット部１９と、装置本体部２３と、両面搬送ユニット４１と、排出トレイ３０と、格納部としてのハードディスク１６と、ファクシミリ通信部１７と、ネットワーク２５と接続するためのネットワークインターフェース部１８とを備える。複合機１１は、両面搬送ユニット４１を利用して、用紙の両面に印刷が可能である。
【００１４】
制御部１２は、複合機１１全体の制御を行う。操作部１３は、複合機１１側から発信する情報やユーザーの入力内容を表示する表示画面２１を含む。操作部１３は、印刷部数や階調性等の画像形成の条件や電源のオンまたはオフを入力させる。用紙セット部１９は、手差しで用紙をセットする手差しトレイ２８や複数枚の用紙を収納可能な給紙カセット３１を含む。図１に示す状態において、手差しトレイ２８は閉じた状態とされている。用紙セット部１９は、画像形成部１５に供給する用紙をセットさせる。画像形成部１５は、ネットワーク２５を介して送信された画像データを基に、搬送されてきた用紙に画像を形成する。画像形成部１５により画像を形成された用紙は、排出トレイ３０に排出される。装置本体部２３は、給紙カセット３１、両面搬送ユニット４１、および画像形成部１５をその内方側に収容する。ハードディスク１６は、送信された画像データや入力された画像形成条件等の格納を行う。ファクシミリ通信部１７は、公衆回線２４に接続されており、ファクシミリ送信やファクシミリ受信を行う。
【００１５】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、給紙カセット３１については、複数設けられていてもよい。
【００１６】
複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。複合機１１は、ファクシミリ通信部１７を通じて、公衆回線２４から送信された画像データを用いて、ＤＲＡＭを介して画像形成部１５において画像を形成することにより、ファクシミリ装置として作動する。複合機１１は、画像処理に関し、プリンター機能、ファクシミリ機能等、複数の機能を有する。さらに、各機能に対しても、詳細に設定可能な機能を有する。
【００１７】
この発明の一実施形態に係る複合機１１を含む画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他の複合機やサーバーが接続されている構成でもよい。
【００１８】
次に、複合機１１に備えられる給紙カセット３１および両面搬送ユニット４１の構成について説明する。図４は、装置本体部２３の一部を示す斜視図である。図５は、図４に示す装置本体部２３の一部を後方側から見た図である。図６は、給紙カセット３１および両面搬送ユニット４１を示す斜視図である。図７は、図６に示す給紙カセット３１および両面搬送ユニット４１を上方側、すなわち、図６中の矢印ＶＩＩで示す方向から見た図である。図８は、給紙カセット３１および両面搬送ユニット４１を、図７中のＶＩＩＩ−ＶＩＩＩの位置で切断した場合の断面図である。図９は、図６中のＩＸで示す領域の拡大図である。なお、図５においては、断面の一部をグレーで示している。また、図４は、複合機１１のいわゆる外装パーツやカバー、さらには画像形成部１５等を取り外した状態に相当する。なお、図３における矢印Ｄ３で示す方向で、上方側から下方側に向かう方向を示している。
【００１９】
図１〜図９を参照して、装置本体部２３には、複合機１１の左右の両側に位置する一対の本体部側板部２９ａ、２９ｂが設けられている。一対の本体部側板部２９ａ、２９ｂはそれぞれ、薄板状であって、装置本体部２３の左右において、上下方向に延びるように設けられている。本体部側板部２９ａ、２９ｂには、それぞれ、図示しないカバー部材等を取り付けるための複数の貫通孔が板厚方向に貫通するようにして設けられている。
【００２０】
給紙カセット３１および両面搬送ユニット４１は、本体部側板部２９ａ、２９ｂの間に配置される。給紙カセット３１は、その上に画像を形成するための用紙を複数枚積載する底板３２と、底板３２の左右両方側の端部から上方側に延びる一対の給紙カセット側板部３３ａ、３３ｂと、前方側に取り付けられて外部に露出するカバー３４とを含む。底板３２および一対の給紙カセット側板部３３ａ、３３ｂは共に、板状である。給紙カセット側板部３３ａ、３３ｂの上端の一部には、水平方向に平坦な当接ガイド面３８と、当接ガイド面３８の矢印Ｄ２方向の上流側の縁部から上流に向かって下方に傾斜する傾斜ガイド面３９が形成されている。給紙カセット３１は、用紙を給紙カセット３１内に収納させる際などに、矢印Ｄ２の方向に引き出される。用紙がその内部に収納された給紙カセット３１は、矢印Ｄ２と逆の方向に向かって押し進められ、複合機１１の本体側にセットされる。底板３２の一部は、複合機１１内に給紙カセット３１がセットされた際に、図３中の矢印Ｄ１で示す方向に一方側、この場合は前方側の端部が上昇される。そして、給紙カセット３１内に収納された用紙は、前方側の端部の上部に設けられた前送りローラー５１と給紙ローラー５２により、装置本体部２３内に設けられた用紙搬送路２０を通じて、画像形成部１５に順次搬送される。
【００２１】
両面搬送ユニット４１は、給紙カセット３１の上部側に取り付けられている。こうすることにより、給紙カセット３１を用いて、両面搬送ユニット４１の高さ方向の位置決めを行うことができる。両面搬送ユニット４１は、画像形成部１５において片面に画像形成がなされた用紙を反転させて供給する。両面搬送ユニット４１は、反転された用紙を搬送するための反転搬送路５３の一方のガイド面を形成する板状のガイド部材４２を含む。また、反転搬送路５３は、回転駆動されて反転された用紙を用紙搬送路２０に搬送するための搬送ローラー５４を有している。一方、ガイド部材４２には、搬送ローラー５４に対して押圧して用紙を挟持する押圧コロ５５が設けられている。押圧コロ５５は、ガイド部材４２において図示しない付勢部材により搬送ローラー５４に向けて付勢されている。また、ガイド部材４２は、給紙カセット３１の上方側の空間の一部を覆うようにして配置されている。ガイド部材４２には、左右両方側の端部から上下方向に延びる一対のガイド部材側板部４３ａ、４３ｂが設けられている。
【００２２】
両面搬送ユニット４１は、装置本体部２３に固定されており、ガイド部材４２は、矢印Ｄ２方向の上流側の端部が両面搬送ユニット４１に揺動可能に支持され、下流側の端部が給紙カセット３１の上部側に載置されるようにして取り付けられている。具体的には、一対の給紙カセット側板部３３ａ、３３ｂの上部側に一対のガイド部材側板部４３ａ、４３ｂの上流側の下部側の一部が当接するようにして設けられている。給紙カセット３１と両面搬送ユニット４１との当接領域については、図５における領域３５ａ、３５ｂで示される。このように構成することにより、両面搬送ユニット４１における用紙の反転時において、用紙の紙詰まりが生じた際に、給紙カセット３１を矢印Ｄ２方向に引き出すことにより、ガイド部材４２が下方に揺動して反転搬送路５３に詰まった用紙を取り除くことが容易になる。
【００２３】
ここで、一対の給紙カセット側板部３３ａ、３３ｂのうちの一方の側板部３３ａの上方側の端部には、当接ガイド面３８の矢印Ｄ２方向の下流側に隣接して、矢印Ｄ２とは逆の方向で示す後方側に延びる突起部３７が設けられている。具体的には、給紙カセット３１には、給紙カセット側板部３３ａの上方側の端部において、さらに上方側に板状部材をＵ字状に折り曲げるようにして形成された突出部３６が設けられている。この突出部３６の後方側に位置する面から後方側に延びるようにして突起部３７が設けられている。突起部３７は、円柱状である。なお、他方の給紙カセット側板部３３ｂには、突起部３７は設けられていない。
【００２４】
また、ガイド部材４２には、突起部３７を受け入れる受け入れ凹部４７が設けられている。具体的には、ガイド部材４２には、ガイド部材側板部４３ａの下方側の端部において、さらに下方側に板状部材をＵ字状に折り曲げるようにして形成された突出部４６が設けられている。すなわち、ガイド部材４２は、先端が当接ガイド面３８に当接する突出部４６を有する。この突出部４６の前方側に位置する面から後方側に貫通するようにして、受け入れ凹部４７が設けられている。すなわち、受け入れ凹部４７は、突出部４６に形成されている。この場合、受け入れ凹部を構成する側壁が前後方向に真っ直ぐに延びた形状である。すなわち、受け入れ凹部４７は、円柱状の突起部３７を挿通可能な貫通孔である。なお、この受け入れ凹部４７は、縦方向、すなわち、上下方向に長い長孔状である。左右方向の幅は、突起部３７の外径よりもやや長い程度である。
【００２５】
次に、給紙カセット３１と両面搬送ユニット４１との取り付け状態について説明する。まず、給紙カセット３１を開けた状態から、矢印Ｄ２とは逆の方向で示す後方側に給紙カセット３１を押し進める途中で、ガイド部材４２の突出部４６の下端部が傾斜ガイド面３９に当接してガイドされて上方に揺動する。さらに給紙カセット３１を押し進めて、本体部２３側にセットさせると、突出部４６は傾斜ガイド面３９を通過して当接ガイド面３８に当接する。この時に、突起部３７は、貫通孔を構成する受け入れ凹部４７に挿通される。ここで、受け入れ凹部４７は、上下方向に長い長孔状であるため、突出部４６が当接ガイド面３８に当接した状態で適切に案内される。そうすると、受け入れ凹部４７に挿通された突起部３７により、給紙カセット３１と両面搬送ユニット４１のガイド部材４２との左右方向の移動が規制され、給紙カセット３１と両面搬送ユニット４１のガイド部材４２との位置決めがなされる。一方、給紙カセット３１を矢印Ｄ２の方向で示す前方側に引き出した際には、突起部３７は受け入れ凹部４７から外れると共に、突出部４６は当接ガイド面３８から外れる。この場合、両面搬送ユニット４１のガイド部材４２は、当接ガイド面３８による下方への移動の規制が解除されるため、自重により下方に揺動する。そうすると、紙詰まり時において、両面搬送ユニット４１のガイド部材４２を下方側に開けて、搬送路の空間を広く保つことができる。したがって、詰まった用紙を取り除くことが容易となる。
【００２６】
したがって、このような構成によると、給紙カセット３１に設けられた突起部３７をガイド部材４２に設けられた受け入れ凹部４７に挿入して、給紙カセット３１に対するガイド部材４２の左右方向の位置決めを適切に行うことができる。すなわち、給紙カセット３１の当接ガイド面３９に対するガイド部材４２の突出部４６の幅方向の位置ずれを防止することができる。そうすると、両面印刷時において、ガイド部材４２を利用して用紙を反転させる際に、反転させる用紙の左右方向の位置ずれやそれに伴う用紙の傾きを防止することができる。また、受け入れ凹部４７に突起部３７を挿入する構成であるため、その構成を容易にして、紙詰まりが生じた際のユーザーの用紙の取り除きの際の負担を軽減することができる。したがって、このような複合機１１は、適切に用紙の反転を行うことができる。また、当接ガイド面３８またはガイド部材４２の突出部４６の幅が狭くても、当接ガイド面３８と突出部４６が幅方向に位置ずれして外れることがないため、給紙カセット３１の構成を容易にして、小型・軽量化できる。
【００２７】
この場合、受け入れ凹部４７は、長孔状であるため、突出部４６を当接ガイド面３８に当接させて上下方向に位置決めした状態で受け入れ凹部４７に突起部３７を適切に挿通させることができ、適切に給紙カセット３１に対する両面搬送ユニット４１の上下方向と左右方向の位置決めを行うことができる。
【００２８】
また、この場合、受け入れ凹部４７は、円柱状の突起部３７を挿通可能な貫通孔であるため、より円滑に、突起部３７を受け入れ凹部４７に挿通させることができる。
【００２９】
また、この場合、一対の給紙カセット側板部３３ａ、３３ｂのうちの一方の側板部３３ａ側にのみ、突起部３７および受け入れ凹部４７が設けられている構成であるため、装置構成を単純にして、より容易に製造することができる。
【００３０】
なお、上記の実施の形態において、突起部は、円柱状に延びる構成としたが、これに限らず、三角柱状や四角柱状、円錐状や、多角錐状に延びる構成であってもよい。
【００３１】
また、上記の実施の形態においては、受け入れ凹部は、貫通孔であったが、これに限らず、受け入れ凹部は、貫通しておらず、単なる凹部であってもよい。
【００３２】
なお、上記の実施の形態においては、受け入れ凹部の側壁は、後方側に向かって真っ直ぐに延びるよう構成されることとしたが、これに限らず、受け入れ凹部の側壁は、テーパー状に構成されていてもよい。この場合、突起部が位置する側が広く、徐々に狭くなる構成とする。こうすることにより、挿入の開始時において多少突起部の位置がずれていても、適切に突起部の挿入を案内することができる。
【００３３】
また、上記の実施の形態においては、一方側の側板部側にのみ、突起部および受け入れ凹部を設ける構成としたが、これに限らず、他方側の側板部側にのみ、突起部および受け入れ凹部を設ける構成としてもよいし、両方の側板部にそれぞれ、突起部および受け入れ凹部を設ける構成としてもよい。
【００３４】
なお、上記の実施の形態においては、複合機１１は、原稿の画像を読み取る画像読み取り部を備え、読み取った画像データを基に用紙を形成する複写機能を備える構成としてもよい。さらには、画像読み取り部により読み取った原稿の画像データをファクシミリ送信可能な構成としてもよい。
【００３５】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３６】
この発明に係る画像形成装置は、両面印刷時における適切な用紙の反転が要求される場合に、特に有効に利用される。
【符号の説明】
【００３７】
１１  複合機、１２  制御部、１３  操作部、１５  画像形成部、１６  ハードディスク、１７  ファクシミリ通信部、１８  ネットワークインターフェース部、１９  用紙セット部、２０  用紙搬送路、２１  表示画面、２２  ＡＤＦ、２３  装置本体部、２４  公衆回線、２５  ネットワーク、２６ａ，２６ｂ，２６ｃ  コンピューター、２７  画像形成システム、２８  手差しトレイ、２９ａ，２９ｂ  本体部側板部、３０  排出トレイ、３１  給紙カセット、３２  底板、３３ａ，３３ｂ  給紙カセット側板部、３４  カバー、３５ａ，３５ｂ  領域、３６，４６  突出部、３７  突起部、３８  当接ガイド面、３９  傾斜ガイド面、４１  両面搬送ユニット、４２  ガイド部材、４３ａ，４３ｂ  ガイド部材側板部、４７  受け入れ凹部、５１  前送りローラー、５２  給紙ローラー、５３  反転搬送路、５４  搬送ローラー、５５  押圧コロ。
【図１】
2017068024.tif 000003
【図２】
2017068024.tif 000004
【図３】
2017068024.tif 000005
【図４】
2017068024.tif 000006
【図５】
2017068024.tif 000007
【図６】
2017068024.tif 000008
【図７】
2017068024.tif 000009
【図８】
2017068024.tif 000010
【図９】
2017068024.tif 000011